(57)【要約】【課題】取り外しが可能な構成部品の盗難、紛失等を防止する。【解決手段】携帯電話機に着脱自在に構成された電池ユニット２は、電池ユニット２が本体装置から取り外されたか否かを検出する検出回路２３と、電池ユニット２が取り外されたと検出された場合に、その旨を報知するブザー２５と、テンキーからの入力を受け付けて、予め設定されたユーザ識別情報と一致するか否かを判定すると共に、ユーザ識別情報と一致すると判定された場合に、ブザー２５の動作を禁止するか否かの設定を行う制御回路２１１と、を備える。【選択図】図２
2008118173.tif 000002
【特許請求の範囲】
【請求項１】
携帯可能に構成された電子機器であって、
前記電子機器を構成すると共に、前記電子機器本体から取り外しが可能に配設された構成部品と、
前記構成部品が前記電子機器本体から取り外されたか否かを検出する検出手段と、
前記検出手段によって前記構成部品が取り外されたと検出された場合に、外部に対してその旨を報知する報知手段と、
外部からの入力を受け付けて、予め設定されたユーザ識別情報と一致するか否かを判定する判定手段と、
前記個人認証手段によってユーザ識別情報と一致すると判定された場合に、外部からの入力を受け付けて、前記報知手段の動作を禁止するか否かの設定を行う禁止設定手段と、
を備えることを特徴とする電子機器。
【請求項２】
前記電子機器本体又は前記構成部品に、取り外しが困難に配設されると共に、前記電子機器本体を駆動する本体電源とは別に配設された予備電源を備え、
前記検出手段及び報知手段は、前記予備電源によって駆動されることを特徴とする請求項１に記載の電子機器。
【請求項３】
前記判定手段は、ユーザ識別情報として暗証番号情報を用いることを特徴とする請求項２に記載の電子機器。
【請求項４】
前記判定手段は、ユーザ識別情報として生体情報を用いることを特徴とする請求項２又は請求項３に記載の電子機器。
【請求項５】
前記判定手段は、ユーザ識別情報として指紋情報、網膜情報、及び静脈情報の少なくとも１の情報を用いることを特徴とする請求項４に記載の電子機器。
【請求項６】
前記報知手段は、前記検出手段によって前記部品が取り外されたと検出された場合に、外部に対して予め設定された音声を出力することを特徴とする請求項２〜請求項５のいずれかに記載の電子機器。
【請求項７】
前記報知手段は、ブザーを備え、前記検出手段によって前記部品が取り外されたと検出された場合に、前記ブザーを介して警報音を出力することを特徴とする請求項６に記載の電子機器。
【請求項８】
前記報知手段は、無線通信を介して通信装置に対して情報を送信する通信部を備え、前記検出手段によって前記構成部品が取り外されたと検出された場合に、前記通信部を介して、前記通信装置に対して、前記構成部品が取り外された旨の情報を送信することを特徴とする請求項２〜請求項６のいずれかに記載の電子機器。
【請求項９】
前記予備電源、検出手段及び報知手段は、前記構成部品に配設されていることを特徴とする請求項２〜請求項８のいずれかに記載の電子機器。
【請求項１０】
前記予備電源、検出手段及び報知手段は、前記電子機器本体に配設されていることを特徴とする請求項２〜請求項８のいずれかに記載の電子機器。
【発明の詳細な説明】
【技術分野】
【０００１】
本発明は、携帯可能に構成された電子機器に関するものである。特に、携帯電話機、ノート型パーソナルコンピュータ、ＰＤＡ（Ｐｅｒｓｏｎａｌ  Ｄｉｇｉｔａｌ  Ａｓｓｉｓｔａｎｔｓ）に関するものである。
【背景技術】
【０００２】
近年、携帯電話機、ノート型パーソナルコンピュータ、ＰＤＡ等の携帯可能な電子機器においては、個人情報が格納されたＳＩＭ（Ｓｕｂｓｃｒｉｂｅｒ  Ｉｄｅｎｔｉｔｙ  Ｍｏｄｕｌｅ）カード、ＳＤ（Ｓｅｃｕｒｅ  Ｄｉｇｉｔａｌ  ｍｅｍｏｒｙ  ｃａｒｄ）カード等が装着可能に構成されているため、紛失、盗難等によりＳＩＭカード等に格納された個人情報が漏洩し、重大な被害が発生する場合がある。
【０００３】
上記課題に対して、例えば、基地局を介して送られてくる着信信号に含まれる発呼者電話番号と、第１メモリに予めロック処理用電話番号として登録された電話番号とを比較し、両者が一致する場合に、第２メモリに記憶されている個人情報等の読み出しを禁止するロック処理を行う携帯電話機が開示されている（特許文献１参照）。この携帯電話機によれば、第２メモリに記憶されている個人情報等の読み出しを禁止することができる。
【特許文献１】特開２０００−１５１７９８号公報
【発明の開示】
【発明が解決しようとする課題】
【０００４】
しかしながら、ＳＩＭカード、ＳＤカード等の記録媒体は、携帯電話機等から容易に取り外しが可能であり、且つ、他の携帯電話機等でＳＩＭカード、ＳＤカード等に格納された個人情報等の読み出しが可能であるため、ＳＩＭカード、ＳＤカード等が携帯電話機等から取り外された場合には、個人情報等が漏洩する場合がある。
【０００５】
本発明は、上記課題に鑑みてなされたものであって、取り外しが可能な構成部品の盗難、紛失等を防止する電子機器を提供することを目的としている。
【課題を解決するための手段】
【０００６】
上記目的を達成するために請求項１に記載の電子機器は、携帯可能に構成された電子機器であって、前記電子機器を構成すると共に、前記電子機器本体から取り外しが可能に配設された構成部品と、前記構成部品が前記電子機器本体から取り外されたか否かを検出する検出手段と、前記検出手段によって前記構成部品が取り外されたと検出された場合に、外部に対してその旨を報知する報知手段と、外部からの入力を受け付けて、予め設定されたユーザ識別情報と一致するか否かを判定する判定手段と、前記個人認証手段によってユーザ識別情報と一致すると判定された場合に、外部からの入力を受け付けて、前記報知手段の動作を禁止するか否かの設定を行う禁止設定手段と、を備えることを特徴としている。
【０００７】
請求項２に記載の電子機器は、請求項１に記載の電子機器であって、前記電子機器本体又は前記構成部品に、取り外しが困難に配設されると共に、前記電子機器本体を駆動する本体電源とは別に配設された予備電源を備え、前記検出手段及び報知手段が、前記予備電源によって駆動されることを特徴としている。
【０００８】
請求項３に記載の電子機器は、請求項２に記載の電子機器であって、前記判定手段が、ユーザ識別情報として暗証番号情報を用いることを特徴としている。
【０００９】
請求項４に記載の電子機器は、請求項２又は請求項３に記載の電子機器であって、前記判定手段が、ユーザ識別情報として指紋情報、網膜情報、及び静脈情報の少なくとも１の情報を用いることを特徴としている。
【００１０】
請求項５に記載の電子機器は、請求項４に記載の電子機器であって、前記判定手段が、ユーザ識別情報として生体情報を用いることを特徴としている。
【００１１】
請求項６に記載の電子機器は、請求項２〜請求項５のいずれかに記載の電子機器であって、前記報知手段が、前記検出手段によって前記部品が取り外されたと検出された場合に、外部に対して予め設定された音声を出力することを特徴としている。
【００１２】
請求項７に記載の電子機器は、請求項６に記載の電子機器であって、前記報知手段が、ブザーを備え、前記検出手段によって前記部品が取り外されたと検出された場合に、前記ブザーを介して警報音を出力することを特徴としている。
【００１３】
請求項８に記載の電子機器は、請求項２〜請求項６のいずれかに記載の電子機器であって、前記報知手段が、無線通信を介して通信装置に対して情報を送信する通信部を備え、前記検出手段によって前記構成部品が取り外されたと検出された場合に、前記通信部を介して、前記通信装置に対して、前記構成部品が取り外された旨の情報を送信することを特徴としている。
【００１４】
請求項９に記載の画像読取装置は、請求項２〜請求項８のいずれかに記載の電子機器であって、前記予備電源、検出手段及び報知手段が、前記構成部品に配設されていることを特徴としている。
【００１５】
請求項１０に記載の電子機器は、請求項２〜請求項８のいずれかに記載の電子機器であって、前記予備電源、検出手段及び報知手段が、前記電子機器本体に配設されていることを特徴としている。
【発明の効果】
【００１６】
請求項１に記載の電子機器によれば、検出手段によって、構成部品が電子機器本体から取り外されたか否かが検出され、構成部品が取り外されたと検出された場合に、報知手段によって、外部に対してその旨が報知されるため、取り外しが可能な構成部品の盗難を防止することができる。
【００１７】
更に、判定手段によって、外部からの入力が受け付けられて、予め設定されたユーザ識別情報と一致するか否かが判定され、ユーザ識別情報と一致すると判定された場合に、禁止設定手段によって、外部からの入力が受け付けられて、報知手段の動作を禁止するか否かの設定が行われるため、ユーザ識別情報と一致すると判定された場合には、報知手段の動作を禁止することができる。
【００１８】
すなわち、電子機器の所有者等が構成部品を電子機器本体から取り外す場合に、報知手段の動作を禁止し、第三者が構成部品を電子機器本体から取り外す場合に、報知手段を動作させることができるので、利便性を向上することができるのである。
【００１９】
請求項２に記載の電子機器によれば、検出手段及び報知手段が、電子機器本体を駆動する本体電源とは別に配設された予備電源によって駆動されるため、例え、本体電源が取り外された場合であっても、構成部品が取り外されたと検出された場合に、報知手段によって、外部に対してその旨が報知されるため、取り外しが可能な構成部品の盗難、紛失等を確実に防止することができる。
【００２０】
請求項３に記載の電子機器によれば、判定手段がユーザ識別情報として暗証番号情報を用いるため、ユーザ識別情報と一致するかの判定を簡素な構成で行うことができる。
【００２１】
請求項４に記載の電子機器によれば、判定手段がユーザ識別情報として生体情報を用いるため、ユーザ識別情報と一致するかの判定を正確に行うことができる。
【００２２】
請求項５に記載の電子機器によれば、判定手段が、ユーザ識別情報として指紋情報、網膜情報、及び静脈情報の少なくとも１の情報を用いるため、ユーザ識別情報と一致するかの判定を正確に行うことができる。
【００２３】
請求項６に記載の電子機器によれば、部品が取り外されたと検出された場合に、外部に対して予め設定された音声を出力されるため、簡素な構成で構成部品が取り外された旨を報知することができる。
【００２４】
請求項７に記載の電子機器によれば、構成部品が取り外されたと検出された場合に、ブザーを介して警報音が出力されるため、簡素な構成で構成部品が取り外された旨を報知することができる。
【００２５】
請求項８に記載の電子機器によれば、構成部品が取り外されたと検出された場合に、無線通信を介して通信装置に対して情報を送信する通信部を介して、通信装置に対して、構成部品が取り外された旨の情報を送信するため、構成部品が取り外された旨を確実に報知することができる。
【００２６】
請求項９に記載の電子機器によれば、予備電源、検出手段及び報知手段が、構成部品に配設されているため、電子機器本体が動作不能な状態であっても、構成部品が取り外された旨を確実に報知することができる。
【００２７】
請求項１０に記載の電子機器によれば、予備電源、検出手段及び報知手段が、電子機器本体に配設されているため、構成部品毎に予備電源、検出手段及び報知手段を配設する必要がないので、構成を簡略化することができる。
【発明を実施するための最良の形態】
【００２８】
以下、本発明に係る電子機器の一例について図面を参照して説明する。図１は、本発明に係る携帯電話機の外観の一例を示す外観図である。図１の（ａ）は、上面図であり、（ｂ）は、下面図である。ここでは、電子機器が、携帯電話機である場合について説明するが、携帯可能な電子機器であればよく、例えば、ノート型パーソナルコンピュータ、ＰＤＡ等である形態でもよい。
【００２９】
図１に示すように、携帯電話機１００は、装置本体１と、電池ユニット２とを備えている。装置本体１（電子機器本体に相当する）は、他の携帯電話機等と通話可能に構成されると共に、他の携帯電話機等との間でメールの送受信が可能に構成されたものであって、ディスプレイ１１、入力部１２及びアンテナ１３を備えている。電池ユニット２（構成部品に相当する）は、装置本体１に着脱自在に構成されると共に、装置本体１に電力を供給するものであって、入力部２１及び端子２２を備えている。
【００３０】
ディスプレイ１１は、ＬＣＤ（Ｌｉｑｕｉｄ  Ｃｒｙｓｔａｌ  Ｄｉｓｐｌａｙ）等からなり、操作情報、ガイダンス情報、設定情報等の種々の情報を外部から視認可能に表示するものである。
【００３１】
入力部１２は、外部からの警報を出力する旨の操作入力を含む種々の操作入力を受け付けるものであって、電源キー、テンキー、通話キー、及び、クリアキー等を備えている。電源キーは、電源をオンオフする場合及びオフフックする場合（＝通話を終了する場合）に押下されるキーである。テンキーは、数字等の文字を入力する場合に押下されるキーであって、０〜９の数字を入力可能に構成されている。通話キーは、オンフック（＝通話を開始する場合）する場合に押下されるキーである。
【００３２】
アンテナ１３は、他の携帯電話機（又は固定電話）等から発せられた音声、又は、文字情報等の送信信号を受信するものである。
【００３３】
入力部２１（禁止設定手段の一部及び判定手段に相当する）は、ユーザ識別情報として暗証番号情報を受け付けるものであって、０〜９の数字を入力可能に構成されている。端子２２（検出手段の一部に相当する）は、装置本体１に対して電力を供給すると共に、図２を用いて後述する検出回路２３に対して電池ユニット２が装置本体１に接続されているか否かの検出信号を出力するものである。
【００３４】
図２は、本発明に係る携帯電話機１００の主要部の一例を示す構成図である。電池ユニット２は、図１に示す入力部２１及び端子２２に加えて、検出回路２３、予備電池２４、ブザー２５、本体電池２６、設定解除スイッチＳＷ１、及び、着脱検出スイッチＳＷ２を備えている。
【００３５】
検出回路２３（検出手段の一部に相当する）は、端子２２からの検出信号に基づいて、電池ユニット２が装置本体１に接続されているか否かを検出するものである。検出回路２３は、例えば、端子２２間の抵抗値を検出する抵抗計として機能する図略の抵抗検出回路を備え、抵抗検出回路を介して端子２２間の抵抗値を検出することによって、電池ユニット２が装置本体１に装着されているか否かを検出するものである。
【００３６】
予備電池２４（予備電源に相当する）は、蓄電池等からなり、入力部２１、検出回路２３及びブザー２５に対して電力を供給するものである。なお、予備電池２４は、設定解除スイッチＳＷ１及び着脱検出スイッチＳＷ２がＯＮ状態の場合（＝警報を出力する設定になっており、且つ、電池ユニット２が装置本体１から取り外された場合）には、本体電池２６と通電可能に接続されるため、予備電池２４の蓄電量が減少した場合には、本体電池２６から給電されるので、予備電池２４には、入力部２１、検出回路２３及びブザー２５を駆動するための電力が蓄積される。
【００３７】
ブザー２５（報知手段の一部に相当する）は、設定解除スイッチＳＷ１及び着脱検出スイッチＳＷ２がＯＮ状態の場合に、予備電池２４によって駆動されて、鳴動しブザー音を出力するものである。本体電池２６は、端子２２を介して装置本体１に電力を供給するものである。また、設定解除スイッチＳＷ１及び着脱検出スイッチＳＷ２がＯＮ状態の場合には、本体電池２６（本体電源に相当する）は、上述のように予備電池２４に対して電力を供給するものである。
【００３８】
設定解除スイッチＳＷ１（禁止設定手段の一部に相当する）は、入力部２１に配設された制御回路２１１からの指示に応じて動作するスイッチである。ここで、制御回路２１１（判定手段の一部及び禁止設定手段の一部に相当する）は、入力部２１を介して入力された暗証番号情報が、入力部２１に配設されたＲＡＭ（Ｒａｎｄｏｍ  Ａｃｃｅｓｓ  Ｍｅｍｏｒｙ）等に格納され、予め設定された暗証番号情報（例えば、４桁の数字からなる情報）と一致するか否かを判定し、一致する場合に、設定解除スイッチＳＷ１をＯＮ状態（＝警報の出力を許可する状態）からＯＦＦ状態（＝警報の出力を禁止する状態）へ（又はＯＦＦ状態からＯＮ状態へ）変更するものである。
【００３９】
具体的には、初期状態では、設定解除スイッチＳＷ１はＯＮ状態になっており、制御回路２１１は、入力部２１を介して予め設定された暗証番号情報と一致する暗証番号情報が入力された場合に、設定解除スイッチＳＷ１をＯＮ状態からＯＦＦ状態へ変更し、再度、入力部２１を介して予め設定された暗証番号情報と一致する暗証番号情報が入力された場合に、設定解除スイッチＳＷ１をＯＦＦ状態からＯＮ状態へ変更するものである。
【００４０】
また、入力部２１は、適所に図略のＬＥＤ（Ｌｉｇｈｔ  Ｅｍｉｔｔｉｎｇ  Ｄｉｏｄｅ）が配設され、制御回路２１１は、設定解除スイッチＳＷ１がＯＮ状態である場合にＬＥＤを点灯させ、設定解除スイッチＳＷ１がＯＦＦ状態である場合にＬＥＤを消灯させるものである。ユーザは、ＬＥＤの点灯により、設定解除スイッチＳＷ１がＯＮ状態（＝ブザーが鳴動可能な状態）であることを確認することができる。
【００４１】
着脱検出スイッチＳＷ２（報知手段の一部に相当する）は、検出回路２３からの指示に応じて動作するスイッチである。具体的には、検出回路２３によって、電池ユニット２が装置本体１に接続されていると判定された場合には、着脱検出スイッチＳＷ２は、ＯＦＦ状態とされ、電池ユニット２が装置本体１に接続されていない（＝装置本体１から取り外された）と判定された場合には、着脱検出スイッチＳＷ２は、ＯＮ状態とされるものである。
【００４２】
図３は、電池ユニット２の動作の一例を示す状態遷移図である。初期状態では、電池ユニット２は、状態ＳＴ０（＝設定解除スイッチＳＷ１がＯＮ状態、着脱検出スイッチＳＷ２がＯＦＦ状態）にあり、この状態ＳＴ０では、着脱検出スイッチＳＷ２がＯＦＦ状態にあるため、ブザー２５は鳴動しない。そして、この状態ＳＴ０で、電池ユニット２が装置本体１から取り外されると、検出回路２３によって電池ユニット２が装置本体１に接続されていないと検出され、着脱検出スイッチＳＷ２がＯＮ状態とされ、状態ＳＴ０から状態ＳＴ３に遷移する。この状態では、設定解除スイッチＳＷ１及び着脱検出スイッチＳＷ２がＯＮ状態であるため、ブザー２５が予備電池２４によって駆動されて、鳴動しブザー音が出力される。
【００４３】
この状態ＳＴ３で、電池ユニット２が装置本体１に装着されると、検出回路２３によって電池ユニット２が装置本体１に接続されていると検出され、着脱検出スイッチＳＷ２がＯＦＦ状態とされ、状態ＳＴ３から状態ＳＴ０に遷移する。
【００４４】
初期状態（状態ＳＴ０）の状態で、入力部２１を介して予め設定された暗証番号情報と一致する暗証番号情報が入力された場合には、制御回路２１１によって、設定解除スイッチＳＷ１がＯＮ状態からＯＦＦ状態へ変更され、状態ＳＴ０から状態ＳＴ１に遷移する。この状態ＳＴ１では、設定解除スイッチＳＷ１及び着脱検出スイッチＳＷ２がＯＦＦ状態であるため、ブザー音が出力されない。
【００４５】
この状態ＳＴ１で、入力部２１を介して予め設定された暗証番号情報と一致する暗証番号情報が入力された場合には、制御回路２１１によって、設定解除スイッチＳＷ１がＯＦＦ状態からＯＮ状態へ変更され、状態ＳＴ１から状態ＳＴ０に遷移する。
【００４６】
また、この状態ＳＴ１で、電池ユニット２が装置本体１から取り外されると、検出回路２３によって電池ユニット２が装置本体１に接続されていないと検出され、着脱検出スイッチＳＷ２がＯＮ状態とされ、状態ＳＴ１から状態ＳＴ２に遷移する。この状態ＳＴ２では、設定解除スイッチＳＷ１がＯＦＦ状態であるため、ブザー音が出力されない。
【００４７】
この状態ＳＴ２で、入力部２１を介して予め設定された暗証番号情報と一致する暗証番号情報が入力された場合には、制御回路２１１によって、設定解除スイッチＳＷ１がＯＦＦ状態からＯＮ状態へ変更され、状態ＳＴ２から状態ＳＴ３に遷移する。
【００４８】
この状態ＳＴ３で、入力部２１を介して予め設定された暗証番号情報と一致する暗証番号情報が入力された場合には、制御回路２１１によって、設定解除スイッチＳＷ１がＯＮ状態からＯＦＦ状態へ変更され、状態ＳＴ３から状態ＳＴ２に遷移する。
【００４９】
このようにして、検出回路２３によって、電池ユニット２が装置本体１から取り外されたか否かが検出され、電池ユニット２が取り外されたと検出された場合に、ブザー２５を介して、ブザー音が出力されるため、取り外しが可能な電池ユニット２の盗難を防止することができる。また、検出回路２３及びブザー２５が、装置本体１を駆動する本体電池２６とは別に配設された予備電池２４によって駆動されるため、例え、本体電池２６が取り外された場合であっても、電池ユニット２が取り外されたと検出された場合に、ブザー２５を介して、ブザー音が出力されるため、取り外しが可能な電池ユニット２の盗難、紛失等を確実に防止することができる。
【００５０】
また、制御回路２１１によって、外部からの入力が受け付けられて、予め設定された暗証番号情報と一致するか否かが判定され、暗証番号情報と一致すると判定された場合に、制御回路２１１によって、設定解除スイッチＳＷ１がＯＦＦ状態とされるため、暗証番号情報と一致すると判定された場合には、ブザー音の出力を禁止することができる。
【００５１】
すなわち、携帯電話機１００の所有者等が電池ユニット２を装置本体１から取り外す場合に、設定解除スイッチＳＷ１をＯＦＦ状態とし、第三者が電池ユニット２を装置本体１から取り外す場合に、設定解除スイッチＳＷ１をＯＮ状態とすることができるので、利便性を向上することができるのである。
【００５２】
更に、ユーザ識別情報として暗証番号情報を用いるため、ユーザ識別情報と一致するかの判定を簡素な構成で行うことができる。
【００５３】
加えて、電池ユニット２が取り外されたと検出された場合に、ブザーを介して警報音が出力されるため、簡素な構成で電池ユニット２が取り外された旨を報知することができる。
【００５４】
また、予備電池２４、検出回路２３及びブザー２５が、電池ユニット２に配設されているため、装置本体１が動作不能な状態であっても、電池ユニット２が取り外された旨を確実に報知することができる。
【００５５】
なお、本発明は、以下の形態にも適用可能である。
（Ａ）本実施形態では、電子機器が携帯電話機である場合について説明したが、ノート型パーソナルコンピュータ、ＰＤＡ等の他の形態の携帯可能に構成された電子機器でもよい。
【００５６】
（Ｂ）本実施形態では、構成部品が電池ユニット２である場合について説明したが、構成部品が他の部品である形態でもよい。例えば、構成部品が、携帯電話機１００に着脱自在に構成されたＳＩＭカード、ＳＤカード等の記録媒体である形態でもよい。この場合には、ＳＩＭカード、ＳＤカード等の記録媒体に格納された個人情報等の漏洩を防止することができる。
【００５７】
（Ｃ）本実施形態では、判定手段（制御回路２１１）が、ユーザ識別情報として暗証番号情報を用いる場合について説明したが、ユーザ識別情報として生体情報を用いる形態でもよい。例えば、ユーザ識別情報として指紋情報、網膜情報、及び静脈情報の少なくとも１の情報を用いる形態でもよい。この場合には、ユーザ識別情報が第三者によって使用されることが困難であるため、ユーザ識別情報と一致するかの判定を正確に行うことができる。
【００５８】
（Ｄ）本実施形態では、構成部品（ここでは、電池ユニット２）が取り外されたと検出された場合に、報知手段がブザー２５を介して警報音を出力する場合について説明したが、その他の音声等を出力する形態でもよい。例えば、報知手段がスピーカを備え、予め設定された所定の音声（例えば、「取り外しが禁止されています」等の警報音声）を出力する形態でもよい。
【００５９】
また、報知手段が無線通信を介して通信装置（他の携帯電話機、固定電話機等）に対してアンテナ１３を介して電子メール等の情報を送信する通信部を備え、通信部を介して、他の携帯電話機、固定電話機等に対して、構成部品が取り外された旨の電子メールを送信する形態でもよい。この場合には、構成部品が取り外された旨を確実に報知することができる。また、報知手段がＧＰＳ（Ｇｌｏｂａｌ  Ｐｏｓｉｔｉｏｎｉｎｇ  Ｓｙｓｔｅｍ）機能を備え、構成部品が取り外された場合に、報知手段がＧＰＳ機能を介して位置情報を取得し、他の携帯電話機、固定電話機等に対して、位置情報を添付した電子メールを送信する形態でもよい。この場合には、盗難、又は、紛失等された構成部品の捜索を容易化することができる。
【００６０】
（Ｅ）本実施形態では、予備電源、検出手段及び報知手段が、構成部品（ここでは、電池ユニット２）に配設されている場合について説明したが、予備電源、検出手段及び報知手段が、電子機器本体（ここでは、装置本体１）に配設されている形態でもよい。この場合には、構成部品毎に予備電源、検出手段及び報知手段を配設する必要がないので、構成を簡略化することができる。
【００６１】
（Ｆ）本実施形態では、予備電源が蓄電池等からなり場合について説明したが、乾電池等からなる形態でもよい。この場合には、ボタン型等の乾電池を使用することにより予備電源を小型化することができる。
【００６２】
（Ｇ）本実施形態では、検出手段（＝検出回路２３）が、端子２２からの検出信号に基づいて、電池ユニット２が装置本体１に接続されているか否かを検出する場合について説明したが、その他の方法で電池ユニット２が装置本体１に接続されているか否かを検出する形態でもよい。例えば、検出手段が、電池ユニット２が装置本体１に接続されているか否かを検出する近接スイッチ、タッチセンサ等のセンサを備え、近接スイッチ等のセンサからの検出信号に基づいて電池ユニット２が装置本体１に接続されているか否かを検出する形態でもよい。
【図面の簡単な説明】
【００６３】
【図１】は、本発明に係る携帯電話機の外観の一例を示す外観図である。
【図２】は、本発明に係る携帯電話機の主要部の一例を示す構成図である。
【図３】は、電池ユニットの動作の一例を示す状態遷移図である。
【符号の説明】
【００６４】
１００    携帯電話機（電子機器）
１    装置本体（電子機器本体）
２    電池ユニット（構成部品）
２１    入力部（禁止設定手段の一部、判定手段）
２１１    制御回路（判定手段の一部、禁止設定手段の一部）
２２    端子（検出手段の一部）
２３    検出回路（検出手段の一部）
２４    予備電池（予備電源）
２５    ブザー（報知手段の一部）
２６    本体電池（本体電源）
ＳＷ１    設定解除スイッチ（禁止設定手段の一部）
ＳＷ２    着脱検出スイッチ（報知手段の一部）
【図１】
2008118173.tif 000003
【図２】
2008118173.tif 000004
【図３】
2008118173.tif 000005